(57)【要約】【課題】データ放送番組受信時に、ＭＰＥＧ映像とグラフィクス映像を重ね合わせて表示する場合、それぞれの表示状況に応じた最適な画質をより簡単な処理で得ることが可能なデジタル放送受信機を提供する。【解決手段】映像コンポーネントをデコードしてＭＰＥＧ映像を生成するＭＰＥＧデコーダ4と、データコンポーネントをデコードしてグラフィクス映像とＢＭＬ文書を生成すると共に、このＢＭＬ文書から制御信号を抽出するＢＭＬブラウザ5と、ＭＰＥＧ映像とグラフィクス映像とを重ね合わせて表示用映像信号を生成する映像プレーン重ね合わせ部6と、制御信号のうちのＭＰＥＧ映像の表示領域の大きさを参照して、この表示領域の大きさが大きいほど、ノイズ除去処理におけるノイズ除去の度合い及び輪郭強調処理における輪郭強調の度合いを大きくする画質調整手段7とで構成する。【選択図】図１
2007221257.tif 000002
【特許請求の範囲】
【請求項１】
圧縮符号化された映像データである映像コンポーネントと、静止画データおよび／または文字データを含むグラフィクスデータである第１のデータコンポーネントと、前記映像コンポーネントをデコードした復号映像信号と前記第１のデータコンポーネントをデコードしたグラフィクス信号とを重ね合わせて表示手段へ表示する際の前記復号映像信号の表示領域の大きさ及び表示位置を示す制御信号を含んだ第２のデータコンポーネントとを含むデータ放送番組コンテンツを受信する受信手段（1,2,3)と、
受信した前記データ放送番組コンテンツのうちの、前記映像コンポーネントをデコードして前記復号映像信号を生成するデコード手段(4)と、
受信した前記データ放送番組コンテンツのうちの、前記第１のデータコンポーネントをデコードして前記グラフィクス信号を生成すると共に、前記第２のデータコンポーネントをデコードして前記制御信号を生成する信号生成手段(5)と、
前記制御信号に基づいて前記復号映像信号と前記グラフィクス信号とを重ね合わせて表示用映像信号を生成する映像重ね合わせ手段(6)と、
ノイズ除去処理及び輪郭強調処理の少なくとも一方の処理によって前記表示用映像信号に対する画質調整処理を行う画質調整手段であって、前記制御信号のうちの前記復号映像信号の前記表示領域の大きさを参照して、この参照した表示領域の大きさが大きくなり、対する前記グラフィクス信号の表示領域が小さくなるほど、前記画質調整処理の度合いを小さくする画質調整手段(7)と、
を有することを特徴とするデジタル放送受信装置。
【発明の詳細な説明】
【技術分野】
【０００１】
本発明は、ブラウザ機能を有してデータ放送番組を受信可能なデジタル放送受信装置に関する。
【背景技術】
【０００２】
デジタル放送では、放送する番組の映像音声信号をＭＰＥＧ２等の圧縮方式により圧縮した映像音声データや、番組毎の番組名、放送開始／終了時刻等からなる番組情報データを含む付加データ等を、トランスポートストリームと呼ばれるストリーム形式で多重化して伝送している。日本のデジタル放送では更に、上記した映像音声データからなる通常のテレビ番組の他にデータ放送番組も放送されている。データ放送番組は、テキストデータ、静止画ファイルデータ等で構成され、これらのデータもトランスポートストリームで多重化されて伝送される。
【０００３】
デジタル放送受信装置は、上記各データが多重化されて伝送されるトランスポートストリームから、所望の番組の映像データを選択し、この選択した映像データをＭＰＥＧデコードした映像（以下ＭＰＥＧ映像と呼ぶ）をユーザーに表示する。
【０００４】
また所望の番組がデータ放送番組の場合には、テキストデータ、静止画ファイルデータ等をＢＭＬブラウザでデコードした映像（以下グラフィクス映像と呼ぶ）をＭＰＥＧ映像と重ね合せて表示する場合もある。
【０００５】
上記したＭＰＥＧ映像やグラフィクス映像をより良い画質で表示するために、従来より種々の画質補正技術の提案がなされている。
例えば特許文献１に記載の提案によれば、送信側（放送局）から映像信号と共にこの映像信号の画質調整用データも送出して、受信装置側ではこの受信した画質調整用データに従って画質を調整することで最適の画質が得られるとしている。
【特許文献１】特開２００５−１４２８８７
【発明の開示】
【発明が解決しようとする課題】
【０００６】
しかしながら、特許文献１に記載の従来例では、送出側が意図するような画質に調整はできるものの、データ放送番組のように、ＭＰＥＧ映像とグラフィクス映像を重ね合わせて表示するような映像に関しては、おのおのに対して最適な画質調整を行なうのは困難であるという課題があった。また、この画質調整用データが送られてこないと画質の自動調整ができないという課題があった。更には、受信装置側に、この画質調整用データの受信装置能と、受信した画質調整用データに従って画質を調整する機能を備える必要があるという課題もあった。
【０００７】
本発明は上記課題を解決するためになされたものである。
本発明の目的は、データ放送番組受信時において、ＭＰＥＧ映像とグラフィクス映像とを重ね合わせて表示する場合、ＭＰＥＧ映像の表示領域の大きさに応じて画質調整を行なうことで、それぞれの表示状況に応じた最適な画質をより簡単な処理で得ることが可能なデジタル放送受信装置を提供することである。
【課題を解決するための手段】
【０００８】
そこで上記課題を解決するために本発明は、下記の装置を提供するものである。
圧縮符号化された映像データである映像コンポーネントと、静止画データおよび／または文字データを含むグラフィクスデータである第１のデータコンポーネントと、前記映像コンポーネントをデコードした復号映像信号と前記第１のデータコンポーネントをデコードしたグラフィクス信号とを重ね合わせて表示手段へ表示する際の前記復号映像信号の表示領域の大きさ及び表示位置を示す制御信号を含んだ第２のデータコンポーネントとを含むデータ放送番組コンテンツを受信する受信手段（1,2,3)と、
受信した前記データ放送番組コンテンツのうちの、前記映像コンポーネントをデコードして前記復号映像信号を生成するデコード手段(4)と、
受信した前記データ放送番組コンテンツのうちの、前記第１のデータコンポーネントをデコードして前記グラフィクス信号を生成すると共に、前記第２のデータコンポーネントをデコードして前記制御信号を生成する信号生成手段(5)と、
前記制御信号に基づいて前記復号映像信号と前記グラフィクス信号とを重ね合わせて表示用映像信号を生成する映像重ね合わせ手段(6)と、
ノイズ除去処理及び輪郭強調処理の少なくとも一方の処理によって前記表示用映像信号に対する画質調整処理を行う画質調整手段であって、前記制御信号のうちの前記復号映像信号の前記表示領域の大きさを参照して、この参照した表示領域の大きさが大きくなり、対する前記グラフィクス信号の表示領域が小さくなるほど、前記画質調整処理の度合いを小さくする画質調整手段(7)と、
を有することを特徴とするデジタル放送受信装置。
【発明の効果】
【０００９】
本発明のデジタル放送受信装置によれば、データ放送番組受信時において、ＭＰＥＧ映像とグラフィクス映像とを重ね合わせて表示する場合、ＭＰＥＧ映像の表示領域の大きさに応じて画質調整を行なうことで、それぞれの表示状況に応じた最適な画質をより簡単な処理で得ることが可能となる。
【発明を実施するための最良の形態】
【００１０】
図１に、本発明のデジタル放送受信装置の構成の一例を示す。
ＮＩＭ１（ネットワーク・インターフェース・モジュール）は、チューナー、デジタル復調、誤り訂正等伝送系の信号処理の機能を有しており、アンテナ１０で受信する放送波のうちの所望チャンネルの放送波にチューニングし、デジタル放送信号を復調してトランスポートストリーム（以下ＴＳと呼ぶ）を出力する。
【００１１】
ＴＳは、複数のテレビ番組やデータ放送番組を構成する映像コンポーネント信号、音声コンポーネント信号、データコンポーネント信号等の各種コンポーネント信号、及び放送される各番組の番組名、放送開始／終了時刻等からなる番組情報データを含む付加データ等で構成されており、これらが１８８バイト毎のトランスポートパケット（以下パケットと呼ぶ）という単位で時分割多重化されているストリームである。
【００１２】
より具体的には、テレビ番組を構成する映像コンポーネント信号及び音声コンポーネント信号はエレメンタリーストリーム（ＥＳ）パケットにセットされ、データ放送番組を構成するデータコンポーネント信号はカルーセルパケットにセットされ、ＰＡＴ（Program Association Table）、ＰＭＴ（Program Map Table）等のＰＳＩ（Program Specific Information：番組特定情報）や、番組名、番組詳細情報を含むＥＩＴ（Event Information Table）等の番組配列情報（ＳＩ：Service Information）は、付加データ用パケットにセットされる。そしてこれらの各パケットを時分割多重して１つのストリームとしたものがＴＳである。また、映像コンポーネント信号や音声コンポーネント信号をＭＰＥＧ圧縮したデータがパケットにセットされているＴＳを特に、ＭＰＥＧ−ＴＳと呼ぶ。以下の説明でＴＳと称しているのはこのＭＰＥＧ−ＴＳのことである。
【００１３】
デスクランブラ２では、有料番組等が不正に視聴又は録画されてしまうのを防ぐためにスクランブルが施されてＴＳがある場合、これをデスクランブルして通常のＴＳに戻す処理を行う。
【００１４】
デマルチプレクサ３は、ＴＳに含まれるＰＡＴ、ＰＭＴ等のＰＳＩを抽出し、その情報に基づき、受信対象の番組に関連する映像コンポーネント信号、音声コンポーネント信号を抽出しＭＰＥＧデコーダ４に供給する。また、上記受信対象番組がデータ放送番組の場合には、関連するデータコンポーネント信号を抽出しＢＭＬブラウザ５に供給する。
【００１５】
ＭＰＥＧデコーダ４では、デマルチプレクサ３から供給される映像コンポーネント信号、音声コンポーネント信号をデコードし、デコードした映像信号（以下、ＭＰＥＧ映像と呼ぶ）、及び音声信号を出力する。なお、音声信号に関しては本発明とは関連が無いので以下の説明は省略する。
【００１６】
ＢＭＬブラウザ５では、供給されたデータコンポーネント信号に含まれているＢＭＬ文書を解読し、このＢＭＬ文書に記述されている内容に従って、グラフィクス映像を生成し、映像プレーン重ね合わせ部６に供給する。なお、このグラフィクス映像とは文字のみで構成される映像、静止画のみで構成される映像、文字及び静止画で構成される映像のうちいずれかを含む映像である。
【００１７】
また、データコンポーネントだけから構成されるのではなく、ＭＰＥＧデコーダ部４においてデコードされるＭＰＥＧ映像を伴うデータ放送番組の場合は、このＭＰＥＧ映像を表示画面のどの位置にどのような大きさで表示するのかを指示する表示位置／大きさ情報がＢＭＬ文書に記述されている場合がある。この場合は、この表示位置／大きさ情報も映像プレーン重ね合わせ部６に供給する。
【００１８】
映像プレーン重ね合わせ部６では、ＢＭＬブラウザ５から供給されるグラフィクス映像とＭＰＥＧデコーダ４から供給されるＭＰＥＧ映像とを重ね合わせて、表示用映像信号を生成する。この時、上記した表示位置／大きさ情報がＢＭＬブラウザ５から供給されている場合は、ＭＰＥＧ映像の表示位置及び大きさをこの表示位置／大きさ情報に従って制御する。
【００１９】
画質調整処理部７では、映像プレーン重ね合わせ部６で生成された表示用映像信号に対して適切なエンハンス処理、ノイズ除去処理等を施して表示映像が最適となるように画質を調整する。
【００２０】
従来この画質調整処理部７で行う画質調整は固定的に行われていたのに対して、本実施例では、ＢＭＬブラウザ５から供給される表示位置／大きさ情報に基づいて画質処理の内容を変更するところに特徴がある。この処理内容の詳細は後述する。
【００２１】
ＯＳＤ重畳部８では、ユーザーに初期設定を行なわせる際に表示するメニュー画面や電子番組表等を表示用映像信号に更に重畳する。
映像表示部９は、ＣＲＴや液晶ディスプレイ等であり、ＯＳＤ重畳部８から供給される映像信号を表示する。
【００２２】
図２は、本実施例の画質調整内容変更処理のフローチャートである。以下、この図２のフローチャートと図１の構成図を用いて処理の流れを説明する。
なお、この画質調整内容変更処理は、本実施例のデジタル放送受信装置が、所望チャンネルのデータ放送番組を選局、受信後に行なう処理である。従って、フローチャートはこの受信動作以降の処理の流れを示している。
【００２３】
受信したデータ放送番組を映像表示部９に表示する際に、ＢＭＬブラウザ５はＢＭＬ文書を解読し、このＢＭＬ文書中にＭＰＥＧ映像の表示位置／大きさ情報が記述されていたならば、この情報を映像プレーン重ね合わせ部６に供給する。映像プレーン重ね合わせ部６では、ＢＭＬブラウザ５から供給される文字／静止画のグラフィクス映像に、ＭＰＥＧデコーダ４から供給されるＭＰＥＧ映像を、ＢＭＬブラウザ５から供給されるＭＰＥＧ映像の表示位置／大きさ情報に従った所定の領域に重ね合わせる。また同時に、ＭＰＥＧ映像の表示位置／大きさ情報は画質調整処理部７にも供給される（ステップＳ１０１）。
【００２４】
ステップＳ１０２では、画質調整処理部７は、ステップＳ１０１で供給されたＭＰＥＧ映像の表示位置／大きさ情報のうちの大きさ情報を参照し、その大きさ情報によって画質調整内容を変更するための判断を行う。例えば、図３に示したようにＭＰＥＧ映像の表示領域の大きさが全画面表示領域の大きさの１／２以上の場合には、ステップＳ１０３に処理を移行し、図４に示したようにそれ以外（１／２未満）の場合はステップＳ１０４に処理を移行する。
【００２５】
ここで画質の調整方法の具体例を以下に示す。
ＭＰＥＧデコーダ４が生成するＭＰＥＧ映像は、圧縮／伸長処理がなされるために、特有のブロックノイズ、モスキートノイズが発生する。従ってＭＰＥＧ映像には、これらのノイズを除去するためのノイズカットフィルタ等、さまざまなノイズ除去処理が施される。また、ＭＰＥＧ映像は自然画であるので、画像の輪郭エッジを立てる処理や画像の高域成分を持ち上げる等によって映像の輪郭を強調するエンハンサ処理を施すとくっきりとした画像が得られる。
【００２６】
一方、ＢＭＬブラウザ５が生成する文字／静止画等のグラフィクス映像は、上記したＭＰＥＧ映像のようなブロックノイズ、モスキートノイズは存在しないのでノイズ除去処理は行う必要が無い。むしろ、この画像にノイズ除去処理を施すと逆に画質が悪化する場合が多い。また、このグラフィクス映像は、自然画のように階調表現が複雑ではなく、比較的階調表現が平坦な画像となる。従って、エッジを立てる処理や高域成分を持ち上げる等のエンハンサ処理を施した場合においても、画質が悪化する場合が多い。
【００２７】
このように、映像プレーン重ね合わせ部６から出力される表示用映像信号は、ＭＰＥＧ映像とグラフィクス映像という互いに相反した特徴を有する画像が重ね合されている。本実施例では、この表示用映像信号に含まれる互いに相反する２種類の画像の画像領域のうち、より画像領域の大きいほうの画像を優先させ、この大きい方の画像に適した画質調整を行なうことを特徴とする。
【００２８】
以上の説明を踏まえてフローチャートの説明に戻る。
ステップＳ１０３では、ステップＳ１０２の判断によりＭＰＥＧ映像の表示領域がグラフィクス映像の表示領域より大きいと判断されたので、画質調整をＭＰＥＧ映像に合わせて行なう。具体的には、既に上記で述べたブロックノイズ、モスキートナイズを除去するためのノイズ除去処理、及びエンハンサ処理を施す。
【００２９】
ステップＳ１０４では、ステップＳ１０２の判断によりＭＰＥＧ映像の表示領域がグラフィクス映像の表示領域より小さいと判断されたので、画質調整をグラフィクス映像に合わせて行なう。具体的には、既に上記で述べたブロックノイズ、モスキートナイズを除去するためのノイズ除去処理を行わないか、またはノイズ除去のレベルを抑制する。またエンハンサ処理についても処理を行わないか、または輪郭強調効果を抑制した処理を施す。
【００３０】
以上説明した実施例では、一例としてＭＰＥＧ映像表示領域が１／２以上としたが、画質調整の内容によっては、この割合を変えても良い。
また、２種類の画質調整パターンのどちらかに切り換えることを想定しているが、切り換えるパターンを多くすると、より画質の最適化が図れる。更には、ＭＰＥＧ映像表示領域の大きさに応じて無段階にノイズ除去処理のノイズ除去のレベル及びエンハンス処理の輪郭強調のレベルを制御するとさらに最適な画質を得ることができる。この場合は、ＭＰＥＧ映像表示領域の大きさが大きくなるほど、つまり対するグラフィクス映像の表示領域が小さくなるほど、ノイズ除去処理におけるノイズを除去する度合い、エンハンス処理における輪郭強調を施す度合いを大きくする方向で制御すれば良い。
【００３１】
また、実施例はノイズ除去処理とエンハンス処理とを同時に行なう例であるが、これらのうちどちらか一方のみの処理を行っても相応の効果を得ることが可能である。  
以上のように、本実施例によれば、データ放送番組受信時において、ＭＰＥＧ映像とグラフィクス映像とを重ね合わせて表示する場合、ＭＰＥＧ映像の表示領域の大きさに応じて画質調整を行なうことで、それぞれの表示状況に応じた最適な画質をより簡単な処理で得ることが可能となる。
【００３２】
また、本発明は、上記した装置の機能をコンピュータに実現させるためのプログラムを含むものである。これらのプログラムは、記録媒体から読みとられてコンピュータに取り込まれてもよいし、通信ネットワークを介して伝送されてコンピュータに取り込まれてもよい。
【図面の簡単な説明】
【００３３】
【図１】本発明の一実施例を示す構成図である。
【図２】本発明の一実施例の動作を説明するフローチャートである。
【図３】ＭＰＥＧ映像表示領域の大きい画面の一例である。
【図４】ＭＰＥＧ映像表示領域の小さい画面の一例である
【符号の説明】
【００３４】
１  ＮＩＭ
２  デスクランブラ 
３  デマルチプレクサ
４  ＭＰＥＧデコーダ
５  ＢＭＬブラウザ（信号生成手段）
６  映像プレーン重ね合わせ部
７  画質調整処理部
８  ＯＳＤ重畳部
９  映像表示部
１０  アンテナ
【図１】
2007221257.tif 000003
【図２】
2007221257.tif 000004
【図３】
2007221257.tif 000005
【図４】
2007221257.tif 000006